(57)【要約】【課題】フェイスカバーとして使用することができると共に、フェイスカバー以外の用途で利用する場合の利便性も高められた多機能ハンカチを提供する。【解決手段】長方形状の本体部１０の片面の一方の短辺１０ａ側に偏る位置に、短辺１０ａに適合する長さの紐１１，１２が取り付けた構成のハンカチ１を製作する。各紐１１，１２の両端部は本体部１０の各長辺１０ｃ，１０ｄの縁部にそれぞれ固定されるが、その他の部分は本体部１０には固定されない状態に設定される。この本体部１０を長さ方向の中央部で二つに畳んで、紐１１，１２の付いていない方の短辺１０ｂ側の端部を紐１１，１２の下に差し込み、二つ折り状態となった本体部の開放端を広げて利用者の頭部に被せ、そのまま首部の方へと引き下げることにより、紐１１，１２を利用者の顎の下に位置づけて、ハンカチ１をフェイスカバーとして機能させることができる。【選択図】図１
2012017542.tif 000002
【特許請求の範囲】
【請求項１】
長方形状の布を本体部とするハンカチであって、
前記本体部の片面の一方の短辺側に偏る位置に、当該短辺に適合する長さを有する１本または２本の紐が、両端部が本体部の各長辺の縁部にそれぞれ固定される一方で両端部以外の部分は本体部に固定されない状態にして取り付けられており、
前記本体部の長さ方向を利用者の頭部の上下方向に合わせ、かつ長さ方向の中央部を利用者の頭頂部に対応させて本体部を前記利用者の頭部に被せたときに、利用者の頭部および首部が本体部により覆われると共に、前記紐の本体部に固定されていない部分を利用者の首部の位置に対応させることができるように、前記本体部の大きさおよび紐の取付位置が設定されている、
ことを特徴とする多機能ハンカチ。
【請求項２】
前記紐を２本とし、前記本体部の一方の短辺から所定の距離を隔てた位置に本体部の長辺に沿って並んだ状態で各紐が取り付けられている、請求項１に記載された多機能ハンカチ。
【発明の詳細な説明】
【技術分野】
【０００１】
本発明は、様々な目的に使用することが可能な多機能ハンカチに関する。
【背景技術】
【０００２】
ハンカチは、手拭きや汗拭いに使用されるほか、スカーフ、ヘアバンド、ナプキン、ポケットチーフ、リボンなどの代用品として使用されることもある。
ハンカチの形状は、一般に正方形であるが、「ロングハンカチ」と呼ばれる長方形状のハンカチも販売されている。
【０００３】
また、特定の目的で使用する場合の利便性を高めるために、ハンカチに若干の加工を施すことも提案されている。たとえば、特許文献１には、ハンカチの４つのコーナーのうちの１つに両端縁から対角線に向かう方向に沿う切り込みを形成し、その切り込みにより生じた三角形の部分を首もとに差し込むことにより、ハンカチをナプキンとして使用する場合のずれを防止することが記載されている。また、特許文献２には、布地の一部に保冷剤を収容するための有底の袋部が形成されたハンカチが開示されている。
【発明の概要】
【発明が解決しようとする課題】
【０００４】
化粧をした女性が外出先などで着替えをする場合に、顔に塗ったファンデーションや口紅などが衣服に付着することがある。この付着を防ぐ手段としてフェイスカバーがあり、不織布などを材料とした使い捨てタイプのフェイスカバーも考案されている（たとえば特許文献３，４参照。）。しかし、この種のフェイスカバーは、主として店舗の試着室で使用するために開発されたもので、多数枚をセットにして販売されており、個人が利用すると費用負担が大きくなりすぎる。また、常にフェイスカバーを携帯することを意識しなければならないため、煩雑である。また、環境の保護の観点からも、使い捨てタイプのフェイスカバーは好ましいものとは言えない。
【０００５】
フェイスカバーの代わりにスカーフや大判のハンカチで顔を被って着替えをする人もいるが、このような方法では顔を被った状態を安定して維持するのが困難で、衣服を脱ぎ着する際にずり落ちてしまうことがある。
【０００６】
上記の問題に鑑み、発明者は、ハンカチを、フェイスカバーとして利用できるように加工することを検討した。しかし、複雑な加工をすると、手間がかかってコストが高くなり、利用者にリーズナブルな価格で提供するのが困難となることに気がついた。
【０００７】
そこで本発明では、簡単な構成を付加することによってフェイスカバーとして使用することができると共に、フェイスカバー以外の用途で利用する場合の利便性も高められた多機能ハンカチを提供することを、目的とする。
【課題を解決するための手段】
【０００８】
本発明による多機能ハンカチは、長方形状の布を本体部とし、この本体部の片面の一方の短辺側に偏る位置に、当該短辺に適合する長さを有する１本または２本の紐が、両端部が本体部の各長辺の縁部にそれぞれ固定される一方で両端部以外の部分は本体部に固定されない状態にして取り付けられている。また、本体部の長さ方向を利用者の頭部の上下方向に合わせ、かつ長さ方向の中央部を利用者の頭頂部に対応させて本体部を利用者の頭部に被せたときに、利用者の頭部および首部が本体部により覆われると共に、紐の本体部に固定されていない部分を利用者の首部の位置に対応させることができるように、前記本体部の大きさおよび紐の取付位置が設定されている。
【０００９】
上記構成のハンカチにおける紐は、本体部の短辺に適合する長さを有すると共に、両端部が本体部の各長辺の端部にそれぞれ固定されているので、本体部を広げた状態にすると、紐は、本体部の片面の上に、短辺の方向に沿って配備される状態となる。この紐の両端部以外の部分は本体部に固定されていないので、その固定されていない部分を本体部から引き上げたり、本体部を畳むときに折り返された部分を紐の下に差し込んだり、畳まれた本体部の外に紐を引き出すなど、紐と本体部との関係を種々に変化させることができる。
【００１０】
また、本体部の長さ方向を利用者の頭部の上下方向に合わせ、かつ長さ方向の中央部を頭頂部に対応させて本体部を利用者の頭部に被せることによって、利用者の頭部および首部を本体部により覆うことができるので、ハンカチをフェイスカバーとして使用することができる。
【００１１】
フェイスカバーとして使用する場合には、本体部の紐が取り付けられている方の面を内側にして、長さ方向の中央部で折り返されるように本体部を二つに畳みながら、紐が取り付けられていない側の端部を紐の下に差し込むことによって、本体部が二手に分かれた状態を緩やかに支持することができる。この紐による支持を維持したまま、二つに畳まれた本体部の開放端を広げて利用者の頭部にかぶせ、その状態で本体部を首部の方へと引き下ろすことによって、頭部および首部が本体部により覆われた状態にすることができる。また、本体部の二手に分かれた状態を支持している紐を利用者の首部の位置に対応させることができるので、本体部の頭部を覆う部分がめくれたり、ずれたりするのを防止することができる。これにより、ハンカチをフェイスカバーとして安定して使用することが可能になる。
【００１２】
なお、経済産業省が平成１９年に発表している「size-JPN 2004-2006」調査結果の中の「５７項目平均値データ」（非特許文献１参照。）から本発明に関係する部位に係る成人女性の年代別平均値の最大値をピックアップしたところ、顔高（鼻鞍点からおとがい点までの直線距離）は１１８ｍｍ、頭矢状弧長（眉間点からヌカーレまでの頭頂点を通る頭の表面に沿った長さ）は３８２ｍｍ、頭囲（眉間点を基点として尾頭点を経て起点にいたる頭の周長）は５５４ｍｍであった。
【００１３】
上記の顔高および頭矢状弧長の測定値によれば、後頭部の長さを約５ｃｍと考えると、女性の平均的な頭部の縦回りの長さは５５ｃｍ前後になると思われる。したがって若干の数値のばらつきを考慮しても、殆どの女性の頭部の縦回りの長さは、６０ｃｍまでの範囲に収まると思われる。
また、上記の頭囲の測定値によれば、女性の頭部の横回りの長さも６０ｃｍ程度までの範囲に収まると思われる。ただし、二手に分かれた本体部を開くことができる範囲が紐により規制されるので、本体部の短辺や紐の長さが頭部の横幅と同程度であると、本体部の布が顔に密着して息苦しくなるおそれがある。よって、頭部の横幅に対しては、本体部にある程度のゆとりをもたせるのが望ましい。
【００１４】
上記の観点から、縦回りおよび横回りの長さがそれぞれ６０ｃｍまでの範囲に収まるサイズの頭部を有する人が利用者である場合には、本体部の長辺を８０ｃｍ前後（たとえば７０〜８５ｃｍの範囲内の数値）にすることにより、頭部および首部を覆うことができると思われる。また、本体部の短辺を４０ｃｍ前後（たとえば３５〜４５ｃｍの範囲内の数値）にすれば、顔面を圧迫することなく、頭部の横幅全体を覆うことができると思われる。
【００１５】
紐に関しては、たとえば、本体部の長さ方向の中央部から、頭部の縦回りの長さの半分程度離れた位置に取り付けることができる。ただし、頭部の横幅に対して本体部の短辺に十分な余裕がある場合には、上記の距離をやや短くしてもよい。本体部を頭部に被せたときに紐の固定されていない部分が下方にたるんだ状態になるので、首部の位置に対応させることが可能になるからである。
【００１６】
このように、本発明によるハンカチをフェイスカバーとして利用する場合には、頭部全体が覆われた状態を安定して維持することができる。さらに、このハンカチを、スカーフやナプキンとして利用する場合にも、紐を有効に活用して機能を高めることができる。
【００１７】
スカーフとして使用する場合には、たとえば、本体部を短辺側で複数回たたむと共に、紐を本体部の外に引き出し、本体部を、長辺の方向を首回りに沿わせて湾曲させた後に、本体部の両端部を重ねて紐により結わえることができる。
また、上記の使用方法によれば、本体部の長辺のうちフェイスカバーとして使用する際に頭部が覆われる部分を首の回りに配置することになるが、首回りの長さは頭部の縦回りの長さよりかなり短い（非特許文献１によれば、成人女性の頸囲の年代別平均値は３０９〜３２８ｍｍ）から、首の回りにゆとりを持って巻くことができ、本体部のたるませ方や首に対する紐の位置を工夫してファッション性を高めることができる。
【００１８】
このハンカチをナプキンとして使用したい場合には、本体部を、紐の取付位置で短辺の方向に沿って畳み、この本体部の折り返し位置より外側に紐を引っ張り、紐と本体部との間に生じた空間に首を挿入し、本体部を胸の前にセットすることができる。このようにすれば、本体部を胸の前で安定して支持することができ、食事の際に、ナプキンがずれて衣服を汚すのを防止することができる。
【００１９】
上記の多機能ハンカチの好ましい実施態様では、紐を２本とし、本体部の一方の短辺から所定の距離を隔てた位置に本体部の長辺に沿って並んだ状態で各紐が取り付けられる。このようにすれば、上記のスカーフとして使用する場合には、各紐を個別に引き出し、ハンカチの巻き付き状態を双方を蝶々結びにより固定することができる。よって、ファッション性をより高めることができる。
【発明の効果】
【００２０】
本発明による多機能ハンカチは、簡易な構成でありながら、フェイスカバーとして十分な機能を果たすことができる。また、スカーフやナプキンとして使用する場合の利便性を高めることができる。
また、本体部に取り付けられている紐は本体部の短辺に適合する長さに設定されているので、紐を意図的に動かさなければ、本体部が紐により引っ張られて形状が崩れたり、紐が本体部からはみ出したりするおそれもなく、ハンカチとしての見栄えや使用に不備が生じることがない。また、製作においては、紐の両端部を本体部の各長辺の縁部に支着するだけで良いので、手間がかからず、製作コストも抑えられる。
【先行技術文献】
【特許文献】
【００２１】
【特許文献１】特許第２９２６４８０号公報
【特許文献２】特開２００２−３３９１０４号公報
【特許文献３】実用新案登録第３０３７９８６号公報
【特許文献４】実用新案公報第３１５７３２３号公報
【非特許文献】
【００２２】
【非特許文献１】経済産業省、「size-JPN 2004-2006 調査結果について」、[online]、平成１９年１０月１日発表、［２０１０年７月５日検索］、インターネット、http://www.meti.go.jp/press/20071001007/20071001007.html
【図面の簡単な説明】
【００２３】
【図１】第１実施例に係る多機能ハンカチを裏面側を正面にして示した図である。
【図２】第１実施例の多機能ハンカチをフェイスカバーとして使用する場合のアレンジ方法を示す図である。
【図３】多機能ハンカチをフェイスカバーとして使用した例を示す図である。
【図４】第１実施例の多機能ハンカチをナプキンとして使用する場合のアレンジ方法を示す図である。
【図５】第１実施例の多機能ハンカチをスカーフとして使用する場合のアレンジ方法を示す図である。
【図６】多機能ハンカチをスカーフとして使用した例を示す図である。
【図７】第２実施例に係る多機能ハンカチを裏面側を正面にして示した図である。
【図８】第２実施例の多機能ハンカチをスカーフとして使用する場合のアレンジ方法を示す図である。
【発明を実施するための形態】
【００２４】
図１は、本発明が適用された多機能ハンカチの構成例を示す。
この多機能ハンカチ１は、木綿の布から成る本体部１０と、この本体部の裏面側に取り付けられた２本の紐１１，１２とにより構成される。本体部１０の各端縁は、裏面側に折り込まれてミシン掛けされており、このミシン掛け処理により、短辺１０ａ，１０ｂの長さが４０ｃｍ、長辺１０ｃ，１０ｄの長さが８０ｃｍの長方形になるように設定されている。なお、本体部１０を構成する布は、無地であってもよいし、模様が入った布であってもよい。また、裏と表の区別が明確な布に限らず、いずれの面を表にしても差し支えのない布を使用してもよい。
【００２５】
この実施例の紐１１，１２は、本体部１０の短辺１０ａ，１０ｂと同じ長さ（４０ｃｍ）に切り揃えられたストレッチテープである。各紐１１，１２は、本体部１０の一方の短辺１０ａから約１５ｃｍの距離を隔てた位置に、長さ方向を短辺１０ａ，１０ｂに合わせ、かつ微小な隙間を隔てて本体部１０の長さ方向（長辺１０ｃ，１０ｄの方向）に沿って並ぶように取り付けられる。図１では、図示が困難であるので、両端部を実線で表しているが、実際には、これらの紐１１，１２の両端部は、本体部１０の各長辺１０ｃ，１０ｄの縫い代にそれぞれ縫い込まれて固定されている。一方、各紐１１，１２の両端部以外の部分は、本体部１０には固定されていないので、自由に引っ張り上げたり、本体部１０を畳みながら本体部１０の外側に引き出すことが可能である。
【００２６】
上記構成の多機能ハンカチ１は、長方形の形状のまま使用したり、幾重かに畳んで使用することができる。さらに、この多機能ハンカチ１は、紐１１，１２を利用して様々な形状にアレンジすることにより、特定の目的に使用することができる。
特にこの実施例では、大多数の女性の頭部の周囲長は、縦回り、横回りとも、６０ｃｍまでの範囲に収まると想定し、この想定されたサイズの頭部を有する人がフェイスカバーとして多機能ハンカチ１を使用することができるように、本体部１０のサイズを定めている。
【００２７】
図２は、上記の多機能ハンカチ１をフェイスカバーとして使用する場合のアレンジ方法を示す。
この例では、本体部１０を、裏面（紐１１，１２が取り付けられている面）を内側にした状態で長さが縮小されるように畳みながら、紐１１，１２が取り付けられていない短辺１０ｂ側の端部を紐１１，１２の下の隙間に差し込む（図２の（１））。そして、最終的に、長さ方向の中央部で折り返された状態にする（図２の（２））。これにより、本体部１０が二手に分かれた状態を緩やかに維持しながら、その開放端（短辺１０ａ，１０ｂが重なる箇所）を、ある程度まで広げることが可能になる。
【００２８】
したがって、図２（２）に示す状態の本体部１０の開放端を広げて利用者の頭部に被せ、そのまま首部の方へと本体部１０を引き下ろすことによって、図３に示すように、利用者Ｓの頭頂部から肩付近までの範囲を本体部１０により覆うことが可能になる。
【００２９】
本体部１０が図２（２）のように折り畳まれている時点では、本体部１０の表に露出した紐１１，１２から各紐１１，１２が固定されている位置までの範囲の長さは約５０ｃｍとなり、利用者Ｓの頭部の縦回りの長さより若干短くなる可能性がある。このため、開放端が広げられた本体部１０を利用者Ｓの頭部に被せた場合の紐１１，１２の取付位置は利用者Ｓの頭部より上に位置する可能性がある。しかし、利用者Ｓの頭部の横幅に対し、本体部１０の短辺１０ａ，１０ｂや紐１１，１２の長さに十分な余裕があるので、本体部１０や紐１１，１２の本体部１０に固定されていない部分にたるみが生じ、これにより紐１１，１２を利用者Ｓの頭部より下に位置させることができる。これにより、本体部１０の各端部を、利用者Ｓの頭部より下の位置で頭部を挟んで対向させた状態で支持することができるので、本体部１０が頭部の位置までめくれるのを防ぐことができる。よって、利用者が衣服を脱ぎ着する際にも、本体部１０により利用者の顔面を安定して保護することができ、ファンデーションや口紅などが衣服に付着するのを防ぐことが可能になる。
【００３０】
ちなみに、数名の女性の頭部に図２に示したアレンジ方法によるフェイスカバーを装着してみたところ、いずれの人でも、頭部および首部が本体部１０により覆われた状態にすることができ、また紐１１，１２を首部の中間位置付近に対応させることができた。彼女たちの頭部を計測してみたところ、縦回りの長さ（顎から頭頂部を経て後頭部まで）の最大値は５７ｃｍであり、横回りの長さ（額の位置で計測）の最大値は５６ｃｍであった。
【００３１】
このように、この実施例の多機能ハンカチ１によれば、女性の標準的なサイズの頭部を安定して覆うことが可能になる。また、図２に示したアレンジ方法は、フェイスカバーとして使用する場合に限らず、手拭きや汗拭いに使用する場合にも採用することができる。
【００３２】
図４は、上記の多機能ハンカチ１の第２のアレンジ方法を示す。
この例では、図４（１）に示すように、本体部１０を、紐１１，１２の取付位置で短辺１０ａに沿って裏側に折り返すと共に、折り返し部分１０ｅを紐１１，１２の下に差し込んでいる。この状態で、各紐１１，１２を本体部１０の折り返し位置から離れるように引っ張ると、図４（２）に示すように、本体部１０と紐１１，１２との間に空間を形成することができる。この空間の周縁は８０ｃｍに近い長さとなるから、女性の標準的なサイズの頭部を挿入するには十分である。
【００３３】
よって、図４（２）の状態の本体部１０を胸の前に位置づけて、本体部１０と各紐１１，１２との間の空間に頭部を挿入し、各紐１１，１２を利用者の首に掛かる位置で落ち着かせると、本体部１０により利用者の胸部から腹部までの範囲を覆うことが可能になる。これにより、ハンカチ１をずれ落ちるおそれのないナプキンとして機能させることができる。
なお、このナプキンとしての使用は、大人に限らず、子供、特に乳幼児に対して実施することができる。
【００３４】
図５は、上記の多機能ハンカチ１の第３のアレンジ方法を示す。
この方法では、まず、本体部１０を、裏面を内側にして短辺１０ａ，１０ｂの中央部で二つに畳むと共に、各紐１１，１２を本体部１０の外に引き出す（図５（１））。つぎに、短辺１０側を再度二つに畳んで本体部１０を四つ折り状態にし（図５（２）））、長辺１０ｃ，１０ｄの方向を首回りなどに合わせて湾曲させた状態にする（図５（３））。そして、２本の紐１１，１２のうちの一方の紐１２を、各紐１１，１２が取り付けられていない短辺１０ｂ側の端部へと廻す（図５（４））。そして、各端部を重ね合わせて各紐１１，１２を結び合わせる（図５（５））。これにより、本体部１０の湾曲形状や端部が重ねられた状態を維持することができる。
【００３５】
図６は、図５（１）〜（５）に示したアレンジ方法によって、ハンカチ１がスカーフとして利用者Ｓの首回りに固定された例を模式的に示す。
このアレンジ方法によれば、本体部１０の８０ｃｍの長辺１０ｃ、１０ｄのうちの紐１１，１２により結わえられる２箇所の間の範囲（約５０ｃｍ）を首の回りに巻くことができる。非特許文献１に示された成人女性の頸囲の年代別平均値（３０９〜３２８ｍｍ）によれば、この範囲の長さは、利用者Ｓの首の回りに余裕をもって巻き付けるのに十分であると思われる。よって、本体部１０を適度に余裕をもたせて首の回りで湾曲させて、その両端部を利用者の好みの場所で重ね合わせて紐１１，１２により結わえることにより、スカーフとして安定して使用することができる。また、各紐１１，１２を蝶々結びにすれば、結び目をほどく作業も容易になり、また結んだ部分がアクセントとなって、お洒落なイメージを高めることができる。
【００３６】
なお、図５に示したアレンジ方法は、スカーフに限らず、ヘアバンドとして利用する場合にも採用することができる。また、長い髪を結わえるリボンとしてハンカチ１を利用したい場合には、短辺１０ａ，１０ｂの側の折り畳みに加えて長辺１０ｃ、１０ｄの側も二つに折り畳んで、髪に巻き、同様に紐１１，１２を結わえることによって固定することができる。
【００３７】
また、図５のアレンジ方法では、短辺１０ａ，１０ｂの側を四つ折り状態としたが、このようにきれいに折り畳むのではなく短辺１０ａ，１０ｂの方向に沿って本体部１０をまるめたり、本体部１０にひねりを加えながら首の回りに巻いてもよい。
【００３８】
また、上記の実施例の多機能ハンカチでは、紐１１，１２としてストレッチテープを使用したが、これに限らず、たとえば、布を紐状に縫い合わせたもの（本体部と同じ生地の布でも良いし、異なる生地の布でもよい。）や、太めの糸を紐状に編み込んだものを使用してもよい。
【００３９】
図７は、本発明の第２実施例として、本体部１０と１本の紐１５とから成る構成の多機能ハンカチ１´を示す。本体部１０の構成は図１に示した第１実施例と同様である。紐１５として、この実施例では、第１実施例の紐１１，１２よりも幅の広い平ゴムが使用されるが、この紐１５も、本体部１０の短辺１０ａ，１０ｂと同様の長さの４０ｃｍに設定される。また、この紐１５も、両端部が本体部１０の長辺１０ｃ、１０ｄの端縁部に縫い付けられて固定され、その他の部分は本体部１０に固定されない状態に設定される。
【００４０】
第２実施例の多機能ハンカチ１´に関しても、図２や図４に示したのと同様のアレンジ方法を実施することによって、フェイスカバーやナプキンとして使用することが可能になる。
【００４１】
図８は、第２実施例の多機能ハンカチ１´を、スカーフとして使用する場合のアレンジ方法を示す。この方法でも、図５の例と同様に、まず紐１５を本体部１０の外に引き出した状態で本体部１０の短辺１０ａ，１０ｂの方を折り畳み（図８（１）（２））、本体部１０の長辺１０ｃ，１０ｄに沿う方向を首の回りに合わせて湾曲させる（図８（３））。そして、本体部１０の両側の一方に引き出されている紐１５を他方に引っ張って、紐１５が本体部１０の両側に引き出された状態にする（図８（４））。そして、図８（５）に示すように、本体部１０の両端部を合わせて紐１５の各側部に引き出された部分を廻して二重結びにすることにより、本体部１０の湾曲状態や両端部が合わせられた状態を維持することができる。
【００４２】
図８に示したアレンジ方法では、図５の例のように紐１５を蝶々結びにするのは困難であるが、平ゴムは滑りが良いので、二重結びにしても容易に結び目をほどくことができる。また、本体部１０の色彩や模様に合う色彩の平ゴムを使用すれば、外観が見苦しくなることもなく、むしろ平ゴムをアクセントとして、お洒落なスカーフとして機能させることができる。
【００４３】
以下、本発明の多機能ハンカチに適用可能なその他の実施態様について述べる。
まず、第１実施例および第２実施例のハンカチ１，１´の本体部１０を形成する布は、木綿に限らず、麻、シルク、化学繊維、混紡繊維などによる布で本体部を形成してもよい。また、スカーフとして使用する場合の利便性を高めるために、紫外線を遮断する機能を有する布を使用してもよい。
【００４４】
また、本体部１０をタオル地の布により形成してもよい。この場合には、たとえば、サウナでフェイスカバーとして使用することによって顔のほてりを防いだり、野外活動やスポーツの際に、図５，図８に示したアレンジ方法により本体部１０を首や頭部の額の高さ位置に巻き付けて、汗止めとして使用することができる。
【００４５】
また、上記の各実施例では、本体部１０の各辺を裏面側で折り返して縫い合わせたが、これに限らず、各辺を折り返さずに、端縁に縁取り加工を施してもよい。また、上記の実施例では、紐１１，１２，１５の両端を本体部１０に縫い付けて固定したが、固定状態を確保できるのであれば、接着剤により固定してもよい。
なお、各実施例では、紐１１，１２，１５を本体部１０の短辺１０ａ，１０ｂと同じ長さに設定したが、両端部は、本体部１０の各長辺１０ｃ，１０ｄより若干内側に固定されているので、本体部１０を広げたときには、本体部１０の裏面に対してやや緩んだ状態で配置される。さらに、本体部１０を普通に折り畳んだときに紐１１，１２，１５がはみ出すことがない程度（数ミリ程度）に、紐１１，１２，１５を短辺１０ａ，１０ｂより長くしてもよい。
【００４６】
最後に、図１および図７に示したハンカチ１，１´のサイズは、女性の標準的な頭部のサイズに合わせたものであるが、これより大きい頭部を有する人の利用に対応させるには、その頭部のサイズに合わせて本体部１０の各辺１０ａ〜１０ｄを上記各実施例よりも長く設定するのが望ましい。また図２（２）に示す状態に本体部１０を畳んだ場合に本体部１０の表に露出する紐と当該紐が固定される位置との間の距離も、利用者の頭部の縦回りの長さに合わせて調整するのが望ましい。
【符号の説明】
【００４７】
１，１´  多機能ハンカチ
１０  本体部
１１，１２，１５  紐
１０ａ，１０ｂ  本体部の短辺
１０ｃ，１０ｄ  本体部の長辺
【図１】
2012017542.tif 000003
【図２】
2012017542.tif 000004
【図３】
2012017542.tif 000005
【図４】
2012017542.tif 000006
【図５】
2012017542.tif 000007
【図６】
2012017542.tif 000008
【図７】
2012017542.tif 000009
【図８】
2012017542.tif 000010